Podtech/llm-jp-corpus-v4-ja_patent huggingface dataset:
(57)【要約】      （修正有）【課題】海底面上を牽引するときは安定した牽引走行ができ、陸上では軽量で取扱いが容易な水中翼を有する海底面上の被牽引装置を提供する。【解決手段】１枚又は複数枚の水中翼３を設け、牽引によって発生する水流で下向き力が発生するように水中翼３の角度を進行方向対して下向きに設置し、海底面下にもぐらないように設置したガタスキー５との力関係で海底面上を安定した牽引ができるようにして水中翼を有する海底面上の被牽引装置１１を形成する。【選択図】図１
0003181662.tif 000002
【実用新案登録請求の範囲】
【請求項１】
１枚又は複数枚の水中翼を設けることで、採貝漁具や海底耕運装置等を安定して走行できるようにした装置。
【考案の詳細な説明】
【技術分野】
【０００１】
機械・加工
【背景技術】
【０００２】
これまでの海底面上を牽引走行させるものとして、水流噴射式貝桁網やそれを参考にした海底耕運装置があるが、水流の噴射や船上からの牽引による上向き力が発生するため装置が転倒しやすい。装置の転倒を防止するには上向き力に対抗する下向き力を発生させる必要があり、本体の重量を重くしたり、重りをつけることで転倒防止を図ってきたので装置が重く、取扱いが不便になっている。したがって、より軽く海底面上を安定して牽引できる装置が望まれている。
【先行技術文献】
【特許文献】
【０００３】
【特許文献１】水中翼を使って下向き力を出すのは潜水に用いる以外見当たらない。
【非特許文献】
【０００４】
【非特許文献１】伊勢湾沖で許可されている水流噴射式の貝桁網や、その漁具を利用して海底耕運装置として利用しているが、牽引走行時に発生する上向き力には対抗するため本体を重くしたり、重りを付けたりしている。
【考案の概要】
【考案が解決しようとする課題】
【０００５】
現状の水流噴流式貝桁網や、海底耕運装置は牽引等の上向き力に対抗するため、装置が重くなり取扱いが困難になっている。海底面上を牽引するときは安定した牽引走行ができ、陸上では軽量で取扱いが容易な装置望まれている。
【課題を解決するための手段】
【０００６】
翼の原理を利用し、牽引時の上向き力に対抗するものとして、下向き力を発生させる水中翼を有する構造とした。
【考案の効果】
【０００７】
装置に通常使用される下部のガタスキーと下向き力が発生する水中翼を設けることで安定した牽引ができるようにした。布等の素材を水中翼につかえば、水中翼は空中に引揚げた時ほとんど重量を感じないような軽さにすることも出来る。
以上のように水中翼を設けることで取り扱いが容易で安定した牽引ができる装置になる。
【図面の簡単な説明】
【０００８】
【図１】図は装置の側面を描いたもので、船上から牽引した状態を示すものである。
【考案を実施するための形態】
【０００９】
本考案を実施するためには、図1のように装置牽引のためのロープ、水中翼及びガタスキーを有する本体が必要である。
【実施例】
【００１０】
図1は、本考案の一実施例で、船上からロープで牽引するとともに、船上に配置したポンプから送水ホースを通じて装置に海水を送り噴射ノズルから噴出させる。装置に水中翼を設けたことで牽引や噴射ノズルからの噴射による上向き力に対抗し安定した走行をすることが出来る。また、重量を必要としないため装置の軽量化が計れる。
【産業上の利用可能性】
【００１１】
現在、小型の装置で海底を耕運できる装置は少なく、水流噴射式貝桁網を利用したものはあるが重量が重く取扱いが容易ではない。本考案を実施すれば本体は軽く、水中では安定した牽引走行が出来る。このことは容易に漁場の整備が可能になる。また、現在の水流噴射貝桁網に採用すれば、軽くて扱いやすい漁具となる。
【符号の説明】
【００１２】
1：牽引ロープ  2：送水ホース  3：水中翼  4：噴射ノズル  5：ガタスキー  6：水中翼  7：海底面  8：牽引方向  9：発生する下向き力
【図１】
0003181662.tif 000003
【手続補正書】
【提出日】平成24年1月19日(2012.1.19)
【手続補正１】
【補正対象書類名】実用新案登録請求の範囲
【補正対象項目名】全文
【補正方法】変更
【補正の内容】
【実用新案登録請求の範囲】
【請求項１】
１枚又は複数枚の水中翼を牽引により下向き力が発生するように設けたことを特徴とする採貝漁具又は海底耕運装置などの被牽引装置。
【手続補正書】
【提出日】平成24年5月24日(2012.5.24)
【手続補正２】
【補正対象書類名】明細書
【補正対象項目名】００１２
【補正方法】変更
【補正の内容】
【００１２】１：牽引ロープ  ２：送水ホース  ３  布又は板状の水中翼  ４  噴射ノズル
５：ガタスキー  ６：海底面上の反力  ７：海底面  ８：牽引方向
９；発生する下向き力  １０：水流  １１：被牽引装置  １２：海水面
【手続補正３】
【補正対象書類名】実用新案登録請求の範囲
【補正対象項目名】全文
【補正方法】変更
【補正の内容】
【実用新案登録請求の範囲】
【請求項１】
１枚又は複数枚の水中翼を設け、牽引によって発生する水流で下向き力が発生するように水中翼の角度を進行方向対して下向きに設置し、海底面下にもぐらないように設置したガタスキーとの力関係で海底面上を安定した牽引ができることを特徴とする水中翼を有する海底面上の被牽引装置。
【手続補正４】
【補正対象書類名】図面
【補正対象項目名】全図
【補正方法】変更
【補正の内容】
【図１】
0003181662.tif 000004
【手続補正書】
【提出日】平成24年12月20日(2012.12.20)
【手続補正１】
【補正対象書類名】手続補正書
【補正対象項目名】手続補正１
【補正方法】削除
【補正の内容】
(57)【要約】      （修正有）【課題】原子力建屋や防護目標建造物を中心とした三角形状または半円形状に配列したコンクリート製パイルや鋼製パイルを複数列敷設して津波高さを減衰させ、既存の防波堤・防潮堤を活用することが出来る透過型津波減衰壁を提供する。【解決手段】津波透過壁４を三角形型または半円形型に配置した透過型津波減衰壁４であって、前記津波透過壁４は、パイル５を、当該パイル５の直径と同等の間隔で一列に並べ、それを複数列配置したものであり、前記パイル５はパイル繋ぎ材６で緊結されていることを特徴とする。【選択図】図４
0003181667.tif 000002
【実用新案登録請求の範囲】
【請求項１】
近年想定される地震予測によりシュミレーションされ新たな津波高さが公開され、従来の防波壁・防潮堤では高さが不足して防護目標建造物を津波から守ることが出来ない。  今回の実用新案は従来技術を活用して緊急に経済的に津波減衰壁を建設することを主目的としている、本考案は図１、図２のように三角形型または半円形型に複数列のパイルを打込み又は敷設して一つまたは複数列の三角形状や半円形状を複数敷設して津波を減衰させて既存の防波堤・防潮堤を再利用するものである。
【考案の詳細な説明】
【技術分野】
【０００１】  ２０１１年３月１１日の東日本大震災による地震と津波により原子力発電所が甚大な被害を被ったが今尚その復旧と津波対策が遅れている現状を鑑み緊急的措置を実施しなければならない。想定される津波高さは既存防波堤・防潮堤では対応ができなく増築や改築により嵩上げが必要であり対策を急がれている、本考案は既存の技術の組合せとその配置により、津波のエネルギーを著しく減衰させて既存の防波堤・防潮堤を守るとともに、原子力発電所等の防護目標建造物を想定範囲内に止めることが出来る。
【背景技術】
【０００２】従来から防波堤、堤防、岸壁、護岸には海底地盤に基礎を構築して、予想される津波高さ以上にコンクリート構造壁や鋼製複合壁を構築してかかる災害を防止していた。
【先行技術文献】
【特許文献】
【０００３】
【特許文献１】実用新案登録第３１７０９９０
【特許文献２】特開２０１１−６９７７
【特許文献３】特開昭６２−１７０６０６
【特許文献４】実開昭５６−１５９４１７
【特許文献５】特開昭５６−４８４１４
【特許文献６】実開昭５１−１３９９４４
【考案の概要】
原子力建屋や防護目標建造物を中心とした三角形状または半円形状に配列したコンクリート製パイルや鋼製パイルを複数列敷設して津波高さを減衰させ、既存の防波堤・防潮堤を活用することが出来る。
【考案が解決しようとする課題】
【０００４】従来の防波堤・防潮堤は海底又は陸地に基礎を構築してその上にコンクリート構造物を構築していた、このような構築物は長大で膨大な費用と工期がかかり災害は待ってくれない、また従来の透過性消波堤は直線上に配列されていて津波を一度に直線的に受けるため消波堤にかかる負担応力が過大となっていた。
【課題を解決するための手段】
【０００５】防護目標建造物を中心にして図１、図２のように一つ又は複数の三角形状または半円形状に既成のコンクリートパイルまたは鋼製パイルを海底又は陸地に打込みまたは敷設することにより、津波襲来の際、パイルに津波が到着すると必然的に時間差が生じてパイル自体への負荷も低減できる。また既成のパイルを使用するために、工期とコストを大幅に削減できる。
【考案の効果】
【０００６】既存の防波堤・防潮堤をそのまま活用できるよう自由に設計ができる。【０００７】既存の防波堤・防潮堤や構築物を有効利用できるので経済的である。【０００８】既成のパイルを利用できる為今回のような緊急の原発津波対策に最適である。
【図面の簡単な説明】
【０００９】
【図１】（Ａ）透過型津波減衰壁の配置図（三角形状）、（Ｂ）は複数の場合の配置図
【００１０】
【図２】（Ａ）透過型津波減衰壁の配置図（半円形状）、（Ｂ）は複数の場合の配置図
【００１１】
【図３】減衰壁（パイル）の配置図
【００１２】
【図４】減衰壁の縦断面図
【考案を実施するための形態】
【００１３】本考案は防護目標建造物に到達する津波を効果的に減衰させるための考案であり、既存防波堤・防潮堤を有効活用するための緊急かつ経済的な一つの考案であり、実施例は図−４で説明する。
【実施例】
【００１４】    添付図面に従い一実施例を示す。図４において５は既成のパイルを複数列海底または陸上に打込みまたは敷設して４群のように一連の津波減衰壁を構築する、６は鋼製又は鉄筋コンクリート製のパイルつなぎ材で相互に補強固定されている、更にその内側に複数の津波減衰壁を構築して１４の津波減衰空間を設けて漸次津波高さを減衰させて既存防波堤・防潮堤が利用活用できる。
【産業上の利用可能性】
【００１５】原子力発電所関連建造物や重要構築物は近年想定される地震の最新シュミレーションによると津波範囲も拡大し巨大化して、発生時期も早まり確実に近づいている。そのような現代において緊急かつ重要な津波対策を経済的に推進させることができる。
【符号の説明】
【００１６】１、防護目標建造物
２、既存防波堤・防潮堤
３、海岸線・護岸
４、津波減衰壁
５、複数列のパイル
６、パイルつなぎ材
７、通常の海水面
８、従前の津波高
９、最新の津波高
１０、海底
１１、パイルの直径
１２、パイルの隙間
１３、津波の方向
１４、津波減衰空間
【図１】
0003181667.tif 000003
【図２】
0003181667.tif 000004
【図３】
0003181667.tif 000005
【図４】
0003181667.tif 000006
【手続補正書】
【提出日】平成24年9月7日(2012.9.7)
【手続補正１】
【補正対象書類名】実用新案登録請求の範囲
【補正対象項目名】全文
【補正方法】変更
【補正の内容】
【実用新案登録請求の範囲】
【請求項１】
図３でパイル直径１１と同等の間隔１２で構成された既成パイル複数列５を図４のようにパイル繋ぎ材６で緊結して一連の津波透過壁とする、パイル形状は丸型や角型とどれでも良く、繋ぎ材はコンクリートや鋼材の何れかで一体化されていれば良く、この津波透過壁を図１、図２のように三角形型または半円形型に複数列配置することを特徴とする透過型津波減衰壁。
【手続補正書】
【提出日】平成24年11月27日(2012.11.27)
【手続補正１】
【補正対象書類名】実用新案登録請求の範囲
【補正対象項目名】全文
【補正方法】変更
【補正の内容】
【実用新案登録請求の範囲】
【請求項１】
津波透過壁を三角形型または半円形型に配置した透過型津波減衰壁であって、前記津波透過壁は、パイルを、当該パイルの直径と同等の間隔で一列に並べ、それを複数列配置したものであり、前記パイルはパイル繋ぎ材で緊結されていることを特徴とする透過型津波減衰壁。
(57)【要約】      （修正有）【課題】アクセル、ブレーキとハンドル操作を片手で行うことができるハンドルを提供する。【解決手段】ハンドル１にアクセルとブレーキボタンを備え、アクセルのボタン２を押す強さに応じて加速し、ブレーキのボタンを押す強さに応じて減速することを特徴とする。【選択図】図１
0003181670.tif 000002
【実用新案登録請求の範囲】
【請求項１】
ハンドルにアクセルとブレーキのボタンをつけ、ボタンを押す強さに応じて速度が変化する新型のハンドル
【考案の詳細な説明】
【技術分野】
【０００１】本考案は、アクセルとブレーキをボタンにしたものをつけたハンドルである。
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【・・・・】
【考案が解決しようとする課題】
【・・・・】
0003181670.tif 000003
【課題を解決するための手段】
【・・・・】
セレクトレバーのようなハンドルにアクセルとブレーキのボタンをつける。
【考案の効果】
【・・・・】
右手だけで運転でき、運転するのが簡単
【図面の簡単な説明】
【・・・・】
0003181670.tif 000004
【図１】
【考案を実施するための形態】
【・・・・】
ハンドルを図３のように左右に倒すと左右にまがって進む。
【実施例】
【・・・・】
アクセル、ブレーキのボタンを押す強さに応じてそれぞれ加速、減速する。
【産業上の利用可能性】
【・・・・】
【符号の説明】
【・・・・】
１  ハンドル    ２  アクセルのボタン    ３  ブレーキのボタン
【図１】
0003181670.tif 000005
【図２】
0003181670.tif 000006
【図３】
0003181670.tif 000007
【手続補正書】
【提出日】平成24年11月12日(2012.11.12)
【手続補正１】
【補正対象書類名】実用新案登録請求の範囲
【補正対象項目名】全文
【補正方法】変更
【補正の内容】
【実用新案登録請求の範囲】
【請求項１】
ハンドルにアクセルとブレーキのボタンを備え、アクセルのボタンを押す強さに応じて加速し、ブレーキのボタンを押す強さに応じて減速することを特徴とするハンドル。
【手続補正２】
【補正対象書類名】明細書
【補正対象項目名】全文
【補正方法】変更
【補正の内容】
【考案の詳細な説明】
【技術分野】
【０００１】本考案は、アクセルとブレーキをボタンにしたものをつけたハンドルである。
【背景技術】
【０００２】車を運転するときは両手でハンドルを操作し、右足でアクセルとブレーキをふんで調節した。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来の車の運転は両手と右足をつかってしていて、大変である。
アクセル、ブレーキ、ハンドルの操作を片手だけで行えば、大変な運転が楽になる。
【課題を解決するための手段】
【０００６】ハンドルにアクセルとブレーキのボタンをつけ、親ゆびでアクセルのボタンを押す強さに応じて加速し、ひとさしゆびでブレーキのボタンを押す強さに応じて減速するようにすればいい。
【考案の効果】
【０００７】足と左手をつかわない運転は、体が楽である。
【図面の簡単な説明】
【０００８】
【図１】ハンドルを右手で握った図
【図２】ハンドル
【図３】運転している図
【図４】ハンドルを横に倒した図
【図５】ハンドルを横に動かした図
【考案を実施するための形態】
【実施例】
【０００９】右手でハンドルを握り、２のアクセルのボタンの上に親ゆびをおき、３のブレーキのボタンの上に人さしゆびをおく。２のアクセルのボタンを深く押せば押すほどスピードがでて、３のブレーキのボタンを深く押せば押すほどブレーキが強くできる。横に曲がるときは図４のようにハンドルを横に倒すか、図５のように横に動かすかのどちらかで横に曲がる。
【符号の説明】
【００１０】１  ハンドル
２  アクセルのボタン
３  ブレーキのボタン
【手続補正３】
【補正対象書類名】図面
【補正対象項目名】全図
【補正方法】変更
【補正の内容】
【図１】
0003181670.tif 000008
【図２】
0003181670.tif 000009
【図３】
0003181670.tif 000010
【図４】
0003181670.tif 000011
【図５】
0003181670.tif 000012
(57)【要約】      （修正有）【課題】クッション性があり、遠赤外線効果によって血行促進を期待できる犬用褥瘡防止パットを提供する。【解決手段】遠赤外線効果が高く、クッション性のある材質を、通気性のある筒状の材質に取り付け、筒状材質にテープを取り付ける。【選択図】図１
0003181666.tif 000002
【実用新案登録請求の範囲】
【請求項１】
遠赤外線効果のたかい、クッション性のある材質を通気性のある筒状の材質に取り付け、左右前足または後ろ足に装着できるようにする。
【請求項２】
体格の差による、前足または後ろ足の長さ、位置等の違いにより、犬の肩甲骨部（図２の符号４）または腰部で脱着が容易なテープで留めることができるようにする。
【考案の詳細な説明】
【技術分野】
【０００１】  本考案は老衰や病気などで寝たきりとなってしまった犬の褥瘡防止パッドに関する。
【背景技術】
【０００２】  統計データからも、犬を飼育する世帯が増加していることがわかる一方で、犬の高齢化とそれに伴う介護という問題も決して無視できない状態になってきている。
しかも、体重の軽い小型犬などは褥瘡になりにくいが、１０キロ以上ある中型犬以上は褥瘡になりやすい。
その対策として、ペット用低反発マットなどが市販されている。
【先行技術文献】
【特許文献】
【０００３】
【特許文献】
【０００４】
【非特許文献】
【考案の概要】
【考案が解決しようとする課題】
【０００５】  しかし、ペット用低反発マットなどは、圧迫を和らげる除圧という観点からみると、たしかに優れているが、褥瘡の予防という観点でみると他の手段が考えられないか。
【課題を解決するための手段】
【０００６】  以上の課題を解決する前に、褥瘡はどのようして起きるのかを考えるとわかりやすい。
関節等の骨端部分等が、体重または床材等に圧迫され、筋肉や皮下組織が血行障害を起こして壊死し、損傷をあたえる状態になる。【０００７】  これを防止するために、関節等の骨端部分等に遠赤外線効果のたかい、クッション性のある材質のものをあてるようにする。【０００８】  図１のように、むれ等の防止のため、通気性がよく伸縮性のある筒状の材質のものに、遠赤外線効果のたかい、クッション性のある材質のものを内側に取り付け前足と後ろ足に装着する。【０００９】  この筒状になっている部分は、表部分と裏部分２重になっており、この間に赤外線効果のあるクッション素材をいれ、関節等の骨端部分等（図１）に重点的にあてる。
【考案の効果】
【００１０】  単にクッション素材による保護だけでなく、遠赤外線効果によって血行促進がうながされ、血行障害を抑止する効果が期待できる。【００１１】  前足、後ろ足共に、はかせて、なおかつ背中の部分で、それぞれをテープで固定（図２）することにより、体位変換などでもパッドがずれにくくなることが期待できる。
【図面の簡単な説明】
【００１２】
【図１】この考案の褥瘡防止パッドを装着した側面図である。
【図２】この考案の褥瘡防止パッドを装着し上からみた図面である。
【考案を実施するための形態】
【００１３】  この考案の一実施形態を、図１ならび図２に示す。
【００１４】「実施形態の効果」
考案の褥瘡防止パッドと、市販の低反発マットの組み合わせると更なる防止効果が期待できる。
【産業上の利用可能性】
【符号の説明】
【００１５】１  褥瘡防止ぱっとパット前足部分
２  褥瘡防止ぱっとパット後足部分
３  遠赤外線効果のあるクッション素材
４  前足と後足共に左右を固定するテープ
【図１】
0003181666.tif 000003
【図２】
0003181666.tif 000004
【手続補正書】
【提出日】平成24年9月7日(2012.9.7)
【手続補正１】
【補正対象書類名】実用新案登録請求の範囲
【補正対象項目名】全文
【補正方法】変更
【補正の内容】
【実用新案登録請求の範囲】
【請求項１】
遠赤外線効果のたかい、クッション性のある材質を通気性のある筒状の材質に取り付けた褥瘡防止パットを、起立が困難な犬の左右の前足または左右の後ろ足に装着することで、関節部の保護を図ることが可能となる犬用褥瘡防止パット。
【請求項２】
体格の差による、前足または後ろ足の長さ、関節部等位置が異なる体型であっても筒状材質に取り付けた脱着が用意なテープにより、左右前肢の肩甲骨の背部である胸椎部と左右後ろ足の背部である腰椎後位部から最後位腰椎部の棘突起部周辺部位で、左右前足及び後ろ足に装着した褥瘡防止パットを脱着が容易なテープで留めることにより、起立が困難な犬が横臥のまま移動したり、介護により犬の右側と左側の変換で介護動作があったとしても、装着した褥瘡防止パットが関節部位からずれるまた脱落することなく、褥瘡防止が図れるのを特徴とする請求項１記載の犬用褥瘡防止パット。
【手続補正書】
【提出日】平成24年11月20日(2012.11.20)
【手続補正１】
【補正対象書類名】実用新案登録請求の範囲
【補正対象項目名】請求項２
【補正方法】変更
【補正の内容】
【請求項２】
体格の差による、前足または後ろ足の長さ、関節部等位置が異なる体型であっても筒状材質に取り付けたテープにより、左右前肢の肩甲骨の背部である胸椎部と左右後ろ足の背部である腰椎後位部から最後位腰椎部の棘突起部周辺部位で、左右前足及び後ろ足に装着した褥瘡防止パットを留めることを特徴とする請求項１記載の犬用褥瘡防止パット。
(57)【要約】      （修正有）【課題】移動式店鋪においても手軽に設置できる集客力のある電動式立体看板を提供する。【解決手段】動物・魚類・甲殻類等の類似物体の手足及び羽等にあたる装飾部分を折り曲げたり伸ばしたりと自在に変型できるように装飾部分内部に針金状の金属をいれ、その装飾部分を取り付けたアルミ棒にモーター２により回転する波型円盤板４との接触部分にベアリング７を取り付け、回転する波型円盤板４の波型部分にベアリング７をそわせることによりクランクピン６を支点とした装飾部分が上下運動となり複雑な動きを可能とした手足及び羽等にあたる装飾部分がリアルに動く電動式立体看板。【選択図】図１
0003181664.tif 000002
【実用新案登録請求の範囲】
【請求項１】
図面（断面図）の（２）（３）のモーターと（４）の波型円盤板と同調さすことにより、（５）である複数の棒が交互に上下運動し、甲殻類に似せた電動物体の手足がリアルに動くこと。
【考案の詳細な説明】
【技術分野】
【０００１】本考案の技術は主に動物・魚類・甲殻類の動作を模倣した電動式の駆動立体物であり、主に看板に使用するものである。
【背景技術】
【０００２】従来、電動式立体看板といえば建築物に設置固定してあり、客の目をひくが設置固定しているため移動式店鋪には不向きな物であった。
【考案の開示】
【考案が解決しようとする課題】
【０００３】移動式店鋪においても客の目をより一層ひくために従来の設置看板より電動式立体看板が必要となるが、従来の電動式立体看板は設置固定型であるため移動式店鋪には不向きであった。【０００４】本考案は、従来の問題点を解決するもので、設置固定型の電動式立体看板を携帯移動型の電動式立体看板にすることにより、移動式店鋪においても集客力のある電動式立体看板を手軽に設置できるように提供するものである。
【課題を解決するための手段】
【０００５】上記の目的を達成するために、電動式立体看板本体を携帯に便利な大きさに小型軽量化し、看板の類似物体の手足をリアルに動かすものとする。
【考案の効果】
【０００６】上述の様に、本考案の携帯移動型の電動式立体看板は、移動式店鋪において客の目をひき、大いに集客力のある看板になる。その結果個人消費を刺激し国内生産増に貢献できる。
【図１】
0003181664.tif 000003
【図２】
0003181664.tif 000004
【手続補正書】
【提出日】平成24年8月24日(2012.8.24)
【手続補正１】
【補正対象書類名】実用新案登録請求の範囲
【補正対象項目名】全文
【補正方法】変更
【補正の内容】
【実用新案登録請求の範囲】
【請求項１】
動物・魚類・甲殻類等の類似物体の手足及び羽等にあたる装飾部分を折り曲げたり伸ばしたりと自在に変型できるように装飾部分内部に針金状の金属をいれ、装飾部分の取り付け棒の根元をベアリングを介し波型円盤板にそわせて波型による上下運動を加えより複雑な動きを可能とした手足及び羽等にあたる装飾部分がリアルに動く電動式立体看板。
【手続補正２】
【補正対象書類名】明細書
【補正対象項目名】全文
【補正方法】変更
【補正の内容】
【考案の詳細な説明】
【技術分野】
【０００１】本考案の技術は主に動物・魚類・甲殻類の動作を模倣した電動式の駆動立体物であり、主に看板に使用するものである。
【背景技術】
【０００２】従来、電動式立体看板といえば建築物に設置固定してあり、客の目をひくが設置固定しているため移動式店鋪には不向きな物であった。
【考案の開示】
【考案が解決しようとする課題】
【０００３】移動式店鋪においても客の目をより一層ひくために従来の設置看板より電動式立体看板が必要となるが、従来の電動式立体看板は設置固定型であるため移動式店鋪には不向きであった。【０００４】本考案は、従来の問題点を解決するもので、設置固定型の電動式立体看板を携帯移動型の電動式立体看板にすることにより、移動式店鋪においても集客力のある電動式立体看板を手軽に設置できるように提供するものである。
【課題を解決するための手段】
【０００５】上記の目的を達成するために、電動式立体看板本体を携帯に便利な大きさに小型軽量化し、看板の類似物体の手足をリアルに動かすものとする。
【考案の効果】
【０００６】上述の様に、本考案の携帯移動型の電動式立体看板は、移動式店鋪において客の目をひき、大いに集客力のある看板になる。その結果個人消費を刺激し国内生産増に貢献できる。
【図面の簡単な説明】
【０００７】
【図１】  断面図
【図２】  平面図
【符号の説明】
【０００８】  （１）円形パイプ
（２）モーター
（３）変速機
（４）波型円盤板
（５）アルミ棒
（６）クランクピン
（７）ベアリング
【手続補正書】
【提出日】平成24年11月27日(2012.11.27)
【手続補正１】
【補正対象書類名】実用新案登録請求の範囲
【補正対象項目名】全文
【補正方法】変更
【補正の内容】
【実用新案登録請求の範囲】
【請求項１】
動物・魚類・甲殻類等の類似物体の手足及び羽等にあたる装飾部分を折り曲げたり伸ばしたりと自在に変型できるように装飾部分内部に針金状の金属をいれ、その装飾部分を取り付けたアルミ棒にモーターにより回転する波型円盤板との接触部分にベアリングを取り付け、回転する波型円盤板の波型部分にベアリングをそわせることによりクランクピンを支点とした装飾部分が上下運動となり複雑な動きを可能とした手足及び羽等にあたる装飾部分がリアルに動く電動式立体看板。
(57)【要約】      （修正有）【課題】タオルの拭面に使用する順番の表示をすることによって単位タオルのほぼ全面を最大に有効使用できる感染症対策用・教育用タオルを提供する。【解決手段】タオルＡを構成する方形の布の少なくとも１面の中央部に折り畳み部を表す表記文字Ｂを印刷すると共に同布の四方に拭面を表示する表記文字Ｃを印刷したことを特徴とする。【選択図】図１
0003181669.tif 000002
【実用新案登録請求の範囲】
【請求項１】
タオルを構成する方形の布の少なくとも１面の中央部に折り畳み部を表す表記文字を印刷すると共に同布の四方に拭面を表示する表記文字を印刷したことを特徴とする教育用・感染症対策用タオル。
【請求項２】
請求項１記載のタオルは正方形であることを特徴とする教育用・感染症対策用タオル。
【考案の詳細な説明】
【技術分野】
【０００１】  本考案は、同じ面を繰り返し使用しないということで、介護施設や病院等での感染症対策用として或いは清拭面の一部分だけ使用してすぐに洗濯するようなぜいたくな使用をすることを矯正することができる若年者の教育用として利用できる感染症対策用・教育用タオルに関するものである。
【背景技術】
【０００２】  従来から、医療分野で患者の身体を清拭するタオルとして、所定幅に形成した長方形状の不織布の幅方向に所定間隔でミシン目を形成し、使用の際はロール状に長方形状の不織布を巻いておき、これを繰り出してミシン目に沿って引き破って使用するものがある。
【考案が解決しようとする課題】
【０００３】  然しながら、このようなタオルはロール式のトイレットペーパーと同じくタオル全面を使用することなく使い捨てされるタイプのタオルであって、資源の無駄遣いだけでなく、物を大切に使用する精神にも悪影響を及ぼし教育上も良くないという問題点があった。
【０００４】  また、通常の布製のタオルであっても、タオルのどの面で患者の身体を拭いたかが不明で、同じ面で複数の患部を拭いて菌に感染していない部分を感染させたり、これを防ぐために一個所を拭いたらタオルを取り替えて患者の身体を清拭するということになり、未使用な部分を残して洗濯に移すという無駄で、且、同じ面だけが摩耗したりしてタオルの寿命を短くするという不経済な使用の仕方をしていた。
【考案の目的】
【０００５】  本考案の目的は、タオルの拭面に使用する順番の表示をすることによって単位タオルのほぼ全面を最大に有効使用できる感染症対策用・教育用タオルを提供することにある。
【課題を解決するための手段】
【０００６】  本考案の感染症対策用・教育用タオルは、タオルを構成する方形の布の少なくとも１面の中央部に折り畳み部を表す表記文字を印刷すると共に同布の四方に拭面を表示する表記文字を印刷したことを特徴とするものである。
【考案の作用】
【０００７】  本考案の感染症対策用・教育用タオルでは、介護施設や病院等での感染症対策用として或いは清拭面の一部分だけ使用してすぐに洗濯するようなぜいたくな使用をすることを矯正することができる教育用としても利用できる。
【考案の実施の態様】
【０００８】  本考案の実施の態様を図面について具体的に説明する。
【０００９】  図１は、本考案に係るタオルの表面図、図２は、同裏面図、図３は、タオルを半分に折りたたんだ状態の表面図である。
【００１０】  Ａは、正方形のタオル本体、Ｂは、折り畳み部を表す印刷された折り畳み表示部であって、タオル本体Ａの中心部に描かれた円内に中心線Ｂ−１が記載してある。
【００１１】  Ｃは、拭き面を表す印刷された四方表示部であって、タオル本体Ａの四方に描かれた円内に順番を表す数字１、２、・・・が記載してある。
【００１２】  つまり、本考案に係るタオルＡは、図１においては、折り畳み表示部Ｂの中心線Ｂ−１で折り畳むと、図３のように半分に折り畳まれ、この状態で順番表示部Ｃに記載される１、２の数字順に拭き面として身体を拭き、次いで裏返して３、４の数字順に身体を拭く。
【００１３】  乾燥した身体を拭いた場合にはタオル生地の裏面に菌等が浸透することがないので、図２のようにタオルＡを裏返して５、６、７、８の順番に身体を拭く。
【００１４】  これによって、本考案のタオルは、最大八面を拭き面として使用できるものである。
【考案の効果】
【００１５】  以上述べた如く、本考案の感染症対策用・教育用タオルによれば、タオルを構成する方形の布の少なくとも１面の中央部に折り畳み部を表す表記文字を印刷すると共に同布の四方に拭面を表示する表記文字を印刷したものであるから、介護施設や病院等での感染症対策用として或いは清拭面の一部分だけ使用してすぐに洗濯するようなぜいたくな使用をすることを矯正することができる若年者の教育用として利用できるものである。
【図面の簡単な説明】
【００１６】
【図１】本考案に係るタオルの表面図である。
【図２】同裏面図である。
【図３】タオルを半分に折りたたんだ状態の表面図である。同照明器具の一部切裁斜視図である。
【符号の説明】
【００１７】Ａ      タオル本体
Ｂ      折り畳み表示部
Ｃ      順番表示部
【図１】
0003181669.tif 000003
【図２】
0003181669.tif 000004
【図３】
0003181669.tif 000005
(57)【要約】      （修正有）【課題】棒状の部材をジョイント部材を使って直方体や多面体などの様々な形状の骨組みを創作する骨組み組立て部材を提供する。【解決手段】複数の棒状部材１，２と、前記棒状部材１，２を相対的に差込むための差込み口を有するジョイント部材３，４，６，７，８，９，１２，１３と、前記棒状部材１，２が前記ジョイント部材３，４，６，７，８，９，１２，１３から抜けることを防止するためのピン部材からなる。【選択図】図４
0003181668.tif 000002
【実用新案登録請求の範囲】
【請求項１】
棒状部材の一部に切り込みを設けるなどの細工をし、高さ、幅などに一層現実イメージに近づけるようにした図１のような棒状部材。
【請求項２】
棒状部材及び請求項１の棒状部材を差込み、はめ込み、載せる、架けるなどでき図２のような態様のジョイント部材。
【請求項３】
請求項１の部材を請求項２のようにジョイントした部分が容易に抜けないように貫く図３のようなピン部材。
【考案の詳細な説明】
【技術分野】
【０００１】  この考案は、棒状の部材をジョイント部材を使って直方体や多面体などの様々な形状の骨組みを創作するフレームワークシステムである
【背景技術】
【０００２】  従来、建築等の構造（骨組み）を検討する際、卓上で手軽に検討出来る方法が見当たらず、棒状の部材を接着剤などで固定して検討している。
【考案の概要】
【考案が解決しようとする課題】
【０００３】  従来の建築等の構造（骨組み）を検討する方法では次のような欠点があった。
（イ）節点を接着剤で固定する方法は、棒状部材を再利用する事に難がある。
（ロ）節点をゴム等で縛る方法は、棒状部材が多数になってくると困難になってくる。
（ハ）パーソナルコンピューターのアプリケーションを使って描く方法は、アプリケーションの操作方法を習得しなければならず、手軽さには難がある。
（ニ）紙などに描く方法は、棒状部材が多数になってくると相当の要領が必要である。
本考案は、以上のような欠点を無くすために考案したものである。
【課題を解決するための手段】
【０００４】  前項０００３のような節点部分に、図２のジョイント部材を使用して棒状部材を結合することにより、繰り返し比較検討ができ、また棒状部材及びジョイント部材等の部材を再利用することが可能になる。
【考案の効果】
【０００５】  本考案を使用すると、建築物等の構造（骨組み）を目で確認しながら手で手軽に組立て、同時に頭で理解し易くなります。また、複数の人々で視覚的に共有できます。
学生や、これから構造などを理解しようとする人々にも手軽にかつ実践的に建築物等の構造などの学習に大変役立ちます。
将来を担う子供達にも玩具として使用すると、創作意欲を伸ばす事が期待できます。
【図面の簡単な説明】
【０００６】
【図１】本考案棒状部材の斜視図である。
【図２】本考案ジョイント部材の斜視図である。
【図３】本考案ピン部材の斜視図である。
【考案を実施するための形態】
【０００７】  計画する図面を描く、または具体的なイメージを空想する。
図１のうち１つの部材または任意で準備した棒状部材を図２のうち１つの部材を相対的に差込む。
必要に応じて図３を前図１及び前図２の孔に差込み、前図１の部材と前図２の部材が分離しないようにする。
それを繰り返し行い、直方体などを形成してゆく。
【実施例】
【０００８】［図４］本考案の建築物等構造検討例である。
［図５］本考案の玩具使用例である。
【符号の説明】
【０００９】  ［１］ピン部材が通る加工をした棒状部材
［２］ピン部材が通る加工と幅広部材に対応した棒状部材
［３］水平状態の棒状部材同士を結合するジョイント部材１
［４］水平状態の棒状部材同士を結合するジョイント部材２
［５］水平状態と垂直状態の棒状部材を結合するジョイント部材１
［６］水平状態と垂直状態の棒状部材を結合するジョイント部材２
［７］水平状態と垂直状態の棒状部材を結合するジョイント部材３
［８］水平状態と垂直状態の棒状部材を結合するジョイント部材４
［９］水平状態と垂直状態の棒状部材を結合するジョイント部材５
［１０］水平状態と垂直状態の棒状部材を結合するジョイント部材６
［１１］水平状態と垂直状態の棒状部材を結合するジョイント部材７
［１２］水平状態と垂直状態の棒状部材を結合するジョイント部材８
［１３］水平状態と垂直状態の棒状部材を結合するジョイント部材９
［１４］水平状態と垂直状態の棒状部材を結合するジョイント部材１０
［１５］棒状部材とジョイント部材を貫通するピン部材
【図１】
0003181668.tif 000003
【図２】
0003181668.tif 000004
【図３】
0003181668.tif 000005
【図４】
0003181668.tif 000006
【図５】
0003181668.tif 000007
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
適当な長さに切断したり、一部に切込みを設けるなどの細工を施した棒状部材。
【請求項２】
棒状部材及び請求項１の棒状部材を相対的に差込み、はめ込み、載せる、架けるなどできるように棒状部材に合わせた形状の差込み口などを多面的に設けたジョイント部材。
【請求項３】
棒状部材及び請求項１の部材を請求項２にてジョイントした部分が容易に抜けないように貫く直方体型、円柱型などのピン部材。
【手続補正２】
【補正対象書類名】明細書
【補正対象項目名】０００６
【補正方法】変更
【補正の内容】
【０００６】
【図１】本考案棒状部材の斜視図である。
【図２】本考案ジョイント部材の斜視図である。
【図３】本考案ピン部材の斜視図である。
【図４】本考案建築物等の構造を検討する使用例の斜視図である。
【図５】本考案の玩具使用例の斜視図である。
【手続補正書】
【提出日】平成24年11月15日(2012.11.15)
【手続補正１】
【補正対象書類名】実用新案登録請求の範囲
【補正対象項目名】全文
【補正方法】変更
【補正の内容】
【実用新案登録請求の範囲】
【請求項１】
複数の棒状部材と、前記棒状部材を相対的に差込むための差込み口を有するジョイント部材と、前記棒状部材が前記ジョイント部材から抜けることを防止するためのピン部材からなる組立て部材。
【手続補正３】
【補正対象書類名】明細書
【補正対象項目名】０００１
【補正方法】変更
【補正の内容】
【０００１】この考案は、棒状の部材をジョイント部材を使って直方体や多面体などの様々な形状の骨組みを創作する骨組み組立て部材である。
(57)【要約】      （修正有）【課題】歯磨きをしながらホウレイ線及び口周辺のシワ・頬のたるみを予防できるマッサージ機能付歯ブラシを提供する。【解決手段】歯ブラシ部１の背にゲルマニウム内蔵の半円状に隆起させたマッサージ部２で口内よりホウレイ線及び口周辺をマッサージし、シワ・頬のたるみを予防するものである。【選択図】図１
0003181688.tif 000002
【実用新案登録請求の範囲】
【請求項１】
歯磨きをしながらホウレイ線及び口周辺のシワ・頬のたるみを予防できるマッサージ機能付歯ブラシ。
【請求項２】
マッサージ部内にゲルマニウムを内蔵し、血流を良くしマッサージ効果を上げる。
【考案の詳細な説明】
【技術分野】
【０００１】  本考案は歯ブラシに関するものである。
【背景技術】
【０００２】  本考案は歯ブラシの背部分にマッサージ機能を設けたものである。
【先行技術文献】
【実用新案文献】
実用新案登録第３１６１５２４号公報
【考案が解決しようとする課題】
【０００３】  本考案はホウレイ線及び口周辺のシワ・頬のたるみを予防しながら歯磨きが出来る歯ブラシを提供することである。
【課題を解決するための手段】
【０００４】  本考案は歯ブラシの背にマッサージ機能を付け、歯磨きをしながら口内からマッサージをするものである。
【考案を実施するための形態】
以下、図を用いて本考案の実施の形態について説明する。本考案は歯ブラシ部１とマッサージ部２により構成している。
【０００５】  図１に示すものは外観図である。歯ブラシ部１で歯磨きをしながら半円状に隆起したマッサージ部２で口周りをマッサージする構造である。
【０００６】  図２に示すものは断面図である。マッサージ部２の内部にゲルマニウム３を内蔵しマッサージ効果を高めている。
【実施例】
【０００７】  歯磨きをしながらマッサージ部２が口内からマッサージを行いホウレイ線及び口周辺のシワ・頬のたるみを予防する。
【図面の簡単な説明】
【図１】  本考案の外観図である。
【図２】  本考案の断面図である。
【符号の説明】  １  歯ブラシ部
２  マッサージ部
３  ゲルマニウム
【図１】
0003181688.tif 000003
【図２】
0003181688.tif 000004
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
ブラシ台に歯ブラシ部と、半円状に隆起したマッサージ部とを備えたことを特徴とするマッサージ機能付き歯ブラシ。
【請求項２】
前記マッサージ部の内部にゲルマニウムを内蔵したことを特徴とする請求項１記載のマッサージ機能付き歯ブラシ。
(57)【要約】      （修正有）【課題】複数の重ねた部品をナット及びボルトで締付けを確実にし、しかも振動などの外力により締付けの緩み防止を可能にしたばね付ワッシャを提供する。【解決手段】バネ鋼材を素材とした外形を丸ないし多角形のワッシャで中心にネジの外径より多少（０．５ｍｍ〜２ｍｍ）大き目のネジ挿入穴が明いていて、その穴の周辺に沿って同面側に相対する位置に二枚のばねを成形し熱処理を施した、ばね付きワッシャである。【選択図】図３
0003181681.tif 000002
【実用新案登録請求の範囲】
【請求項１】
複数の重ねた部品７，７´をナット５及びボルト６で締付けた時に振動などの外力により締付けが緩まないように振動を吸収するばね２が成形された１体にしているばね付きワッシャ１。
【請求項２】
振動を吸収するばね２は、ワッシャ１の中心位置に明けられたボルト挿入穴３に沿って板ばね形状に成形され、穴の相対する位置で同じ面側に二枚のばねを設けたワッシャ１。
【請求項３】
ワッシャ１の外形形状は、丸  又は多角形（例  四角）の物で良く材質はバネ鋼材で熱処理が施されている。
【考案の詳細な説明】
【技術分野】
【０００１】本考案は、複数の重ねた部品をナット及びボルトで締付ける時に用いるワッシャに関するものである。
【背景技術】
【０００２】従来、部品をナット及びボルトで締付ける時、平座金とばね座金  又はスパックを併用して使用する事が殆どであった。
【先行技術文献】
【０００３】
【特許文献１】特開２００５−１０６２１２号公報
【特許文献２】特開２００７−２４２９９  号公報
【特許文献３】特開２００９−５８０３０  号公報
【考案の概要】
【考案が解決しようとする課題】
【０００４】従来の締付けでは、次のような欠点があった。
（イ）平座金とばね座金  又はスパックを併用するので、締付けに時間が掛り作業の煩わしさから部品の付け忘れや、ナットの締付け加減に注意を要した。
（ロ）平座金とばね座金  又はスパックの２個の部品の厚みが加算され、ナットとボルト間の間隙が増す事により振動など外力が働いた時に、締付け緩み易い原因になっている。
（ハ）振動など外力が働いた時に緩みが出る原因は、締付けているナット及びボルトのネジ山に繰返し微少な間隙が発生しナットが回転し易くなり、ねじが緩み締付けの力が弱くなる。
本考案はこれ等の問題点を解決するために考案されたものである
【課題を解決するための手段】
【０００５】ナットとボルト間の部品点数を少なくし、緩みの発生原因を改良する為に、平座金  及びばね座金  又はスパックの併用使用をやめ、締付け機能を損なわない１体にしたばね付きワッシャを使用する。
このばね付きワッシャは、振動などの外力による緩み発生原因である振動を吸収する様に、弾力性を十分に発揮出来るように、ばね特性を良くする形状に成形してある。
更に、ばね特性を良くする為に、ばね付ワッシャの素材は鉄板からバネ鋼材に変えて熱処理が施してある。
このばね付きワッシャを用いたナットの締付けは、ばねのたわみが止まる所で締付けが完了するため、作業の平準化が計れる。
又、このワッシャのばねの成形はボルトのネジ外径の周辺に施してあるので、ワッシャ自体の外形の形状は、ばねの特性効率に直接影響を及ぼさないので、その形状は丸でも多角形（例  四角）でも実用出来る。
【考案の効果】
【０００６】（イ）ばね座金（ＴＩＳ  Ｂ  １２５１）又はスパックを使用せず一体化出来る。
（ロ）一体化による軽量化  及び経済性が増す。
（ハ）ゆるみ止めが不要。
（二）ナットの締付け忘れ防止、作業が楽。
（ホ）相手部品及びナットに傷を付けないのでナットは再利用出来る。
【図面の簡単な説明】
【０００７】
【図１】本考案の斜視図
【図２】本考案の断面図
【図３】本考案の取付け断面図（締付け前→締付け後）
【図４】従来の取付け断面図  （締付け前→締付け後）
【図５】本考案の使用状態を示す斜視図
【考案を実施するための形態】
【０００８】以下、本考案の実施の形態を説明する。
（イ）外形が丸ないし多角形（例  四角）のワッシャ１の中心に締付けるボルトのネジ外径より少し（０．５ｍｍ〜２ｍｍ）間隙のあるネジ挿入穴３を設け、その穴の周辺に同面側に２ヶ所の相対する位置にばね２を成形した、ばね付きワッシャを１体で作る。
（ロ）このばね２の成形は、特にばね特性を良くする形状にし、更に材質をバネ鋼材を使用し熱処理を施してある。
（ハ）本考案のばね付ワッシャを使用して部品７，７´をナット及びボルトで締付ける作業は、ばねのたわみ４が平らになる位置までナットを締めれば取付け完了なので簡単に手加減で判断出来る。
【符号の説明】
【０００９】  １        ばね付きワッシャ
２        ばね
３        ネジ挿入穴
４        たわみ
５        ナット
６        ボルト
７，７´  部品
８        平座金
９        ばね座金
１０      スパック
【図１】
0003181681.tif 000003
【図２】
0003181681.tif 000004
【図３】
0003181681.tif 000005
【図４】
0003181681.tif 000006
【図５】
0003181681.tif 000007
【手続補正書】
【提出日】平成24年11月29日(2012.11.29)
【手続補正１】
【補正対象書類名】実用新案登録請求の範囲
【補正対象項目名】全文
【補正方法】変更
【補正の内容】
【実用新案登録請求の範囲】
【請求項１】
複数の重ねた部品７、７´をナット５及びボルト６で締付けた時に振動などの外力により締付けが緩まないように振動を吸収するばね２が成形された１体化しているばね付ワッシャ１。
【請求項２】
ワッシャ１の外径形状は、丸、又は多角形の物で良く材質はバネ鋼材で熱処理が施されていることを特徴とする請求項１記載のバネ付きワッシャ。
(57)【要約】      （修正有）【課題】硬質プラスチックの円筒形ゴミ入れに円座型の蓋を載せ、円座の裏面からレジ袋を吊るして、ゴミ出しが手早くでき、かつ、補助イスにすることも可能な補助イス型ゴミ入れを提供する。【解決手段】円筒形のゴミ入れの本体の開口部より少し大きな８角形の厚板に、本体の半分ほどのゴミ入れ口を切り抜いた蓋を載せる。このままでは座席が横滑りするから、その裏面に円周を４等分した形のズレ止めの木枠を貼り付ける。上の４つの木枠の外周に長い舌ベロのようなプラ・シートを垂らし、予め切り込んでおいたスリットに、レジ袋の提げ輪の部分を挟み込んで止める。レジ袋の大きさに応じて、ゴミが限度まで溜まったら、座席ごとそっと持ち上げ、スリットから提げ輪を外して結び合わせて、ゴミ捨て場に排出する。【選択図】図３
0003181687.tif 000002
【実用新案登録請求の範囲】
【請求項１】
高さ４０ｃｍほどの円筒形ゴミ入れに、「円座」型の蓋を載せ、補助イスとして利用する。
ただし、考案者の場合は、ゴミ入れは硬質プラスチック製の市販品を利用し、蓋は板材から手作りしたが、商品化の場合は全てをプラチックで成型することも可能。
【請求項２】
前項の蓋の裏側に、ズレ止めの枠材を取り付け、その外周からプラスチックの「垂れ板」４枚を下げ、高低二対のスリットを入れる。
このスリットに、ゴミ受けのレジ袋の提げ手を挟み込んで止める。
【考案の詳細な説明】
【考案の概要】
【考案が解決しようとする課題】
【０００１】家庭の個室や台所には、ゴミ入れ１個は不可欠の家具である。一方、これらの場所には一時的に補助イスが必要な場合がある。考案者の事例で言えば、狭い書斎で書き机とＰＣデスクの間に回転イスを置いていたら、幼い孫が来てＰＣに触らせろと言った。
補助イスが必要になった。学習机の傍にも。タバコ好きの主婦が換気扇の下で一服という時にも、補助イスがあれば、重宝だろう。【０００２】ゴミ入れは、溜まったゴミをゴミ出しの日に、まとめて捨てる時の手間が面倒である。
この点については、ゴミ入れの中に、ポリ袋を入れて、その上縁をゴミ入れの上縁の爪などに引っ掛けて止める先輩案は多々ある。ただ、大方は見た目がよろしくない。
ゴミ入れに溜まりつつある反古が露わに見えず、しかも特定のサイズに限らず、日常の買い物で手に入る中・小のレジ・バッグを利用できる「レジ袋受け」が課題である。
【課題を解決するための手段】
【０００３】課題［０００１］に対する手段を、考案者の試作品を例に説明する。硬質プラスチック製の円筒形ゴミ入れ（市販品）は、高さ４２０ｍｍ、開口部の内径２５０ｍｍである。この上に、補助イスの座席となる「円座」をのせる。円座は厚さ１５ｍｍの木材から切り抜いて製作した。形状は不等辺８角形（長径３２０ｍｍ、短径３００ｍｍ、ゴミを投入する開口部の内径１８０ｍｍ）とする。円座の裏面には、座席の横ズレを防ぐとともに、後述の「垂れ板」を装着するための「内枠」を、強力接着剤で貼り付けておく。（円座を不等辺８角形としたのは、考案者の書斎で机の脚と茶道具台の狭い隙間を出し入れするためである）【０００４】課題［０００２］に対する手段は、前項の「内枠」の外周に薄手プラスチックの「垂れ板」４枚をネジ止めする。この垂れ板には、予め対向する１対ごとに、高位置と低位置のスリットを切り込んでおき、ゴミの受け皿となる中・小のレジ・バッグの提げ輪の上端をスリットに挟み込んで止めておく。【０００５】台所で利用される向きには、魚の骨や残菜などの生ゴミを入れることも予想して、「円座」の開口部に臭気漏れを防ぐプラスチック製の蓋（参考図）を用意しておく。
【考案の効果】
【０００６】さきに［０００１］で述べたように、本考案の「補助イス型ゴミ入れ」が置いてあれば、市販の金属チューブ製の折り畳みイスを買ったり、運び込んだり、狭い書斎に常時立てかけて置く必要はない。坐り心地は、チャチな折り畳みイスより、安定感がある。【０００７】本考案の効果として、特に強調したいのは、［考案の名称］の後半「レジ袋受け」である。
わが家の台所には、大型のプラスチック製ゴミ入れがあるが、傍らには別途購入した特定サイズのポリ袋が用意してある。本考案の「レジ袋受け」は、日常の買い物で手に入る機会の多い中・小のレジ・バッグを、前記の高低差のあるスリットを使い分けることによって利用できる。また、ゴミ出しの際に、スリットに挟んだ提げ輪が紐状になっているのを外して、そのまま十字結びにしたのち、再び  提げ輪に手を入れてゴミ捨て場まで提げて行けるのも、気持ちのよい効果である。
【図面の簡単な説明】
【０００８】
【図１】本考案の正面図。
【図２】内枠と垂れ板を表わす図。
【図３】本考案の内部を表わすスケッチ。
【図４】参考図。
【図５】参考図。
【図１】
0003181687.tif 000003
【図２】
0003181687.tif 000004
【図３】
0003181687.tif 000005
【図４】
0003181687.tif 000006
【図５】
0003181687.tif 000007
【手続補正書】
【提出日】平成24年11月30日(2012.11.30)
【手続補正１】
【補正対象書類名】実用新案登録請求の範囲
【補正対象項目名】全文
【補正方法】変更
【補正の内容】
【実用新案登録請求の範囲】
【請求項１】
円筒形ゴミ入れに、円座となる蓋を載せたことを特徴とする補助イス型ゴミ入れ。
【請求項２】
前記蓋の裏に、前記円筒形ゴミ入れとのズレを防止するための枠材を取り付け、前記枠材の外周からプラスチック製の垂れ板を４枚設け、前記垂れ板に高低二対のスリットを入れ、前記スリットにゴミ受けの袋を吊り下げたことを特徴とする請求項１に記載の補助イス型ゴミ入れ。